【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
作動流体を使用して圧送流体を搬送するためのポンプであって、内部スペースを画定する剛な外側ケーシングと、前記内部スペース内に収容される管構造とを備え、該管構造は可撓性であると共に実質的に非弾性であり、該管構造の内部は圧送流体を受け入れるためのポンプ室を画成しており、該管構造は、前記ポンプ室の体積を変え、それにより吐出行程及び吸込行程を行うべく横方向に拡張された状態及び圧平された状態の間に可動であり、前記管構造は、その両端間で緊張した状態に維持され、前記管構造を囲む前記内部スペースの領域は、作動流体を受け入れて収容するための作動領域を画成しており、前記ポンプ室は、前記管構造を前記拡張された状態に向かって移動させるべく圧送流体を受け入れるように構成され、それにより前記ポンプ室が吸込行程を行い、前記ポンプ室は、前記作動領域における作動流体の動作に呼応して前記管構造の圧平時に吐出行程を行うようになっている、ポンプ。
【請求項２】
前記管構造の一端は閉じられており、他端はポートに接続されており、圧送流体は、前記ポンプ室が吸込行程及び吐出行程を行うときに前記ポートを介して前記ポンプ室に流入したり、前記ポンプ室から排送したりすることが可能となっている、請求項１に記載のポンプ。
【請求項３】
前記管構造は、その前記閉じた一端で支持されている、請求項１又は２に記載のポンプ。
【請求項４】
前記管構造の前記閉じた一端は、該管構造の長手方向の伸張及び収縮に適応するように可動に支持されている、請求項２〜３のいずれか１項に記載のポンプ。
【請求項５】
前記管構造の前記閉じた一端は、スプリング機構のような任意の適切な方式で可動に支持されている、請求項２〜４のいずれか１項に記載のポンプ。
【請求項６】
前記作動領域は、前記管構造を実質的に取り囲んでいる作動環状域と、前記ポンプの前記閉じた一端に配置された作動室とから構成されている、請求項２〜５のいずれか１項に記載のポンプ。
【請求項７】
前記作動環状域は前記作動室と流体連通している、請求項６に記載のポンプ。
【請求項８】
空気のような流体を前記ポンプから逃すための手段を備えている、請求項１〜７のいずれか１項に記載のポンプ。
【請求項９】
前記ポンプ室及び前記作動領域から空気を逃すための別の手段を備えており、空気は、前記吸込行程中に前記ポンプ室から逃され、かつ空気は、前記吐出行程中に前記作動領域から逃されるようになっている、請求項８に記載のポンプ。
【請求項１０】
前記吸込行程及び前記吐出行程中に前記ポンプを監視するための監視手段を備えている、請求項１〜９のいずれか１項に記載のポンプ。
【請求項１１】
前記監視手段は前記管構造の状態を監視するものである、請求項１０に記載のポンプ。
【請求項１２】
前記監視手段は前記管構造の前記閉じた一端の位置を直接又は間接的に監視するものである、請求項１０又は１１に記載のポンプ。
【請求項１３】
前記監視手段は前記ポンプの構成要素間の圧力差を監視するものである、請求項１２に記載のポンプ。
【請求項１４】
前記監視手段は、いつ前記吐出行程及び吸込行程が完了したかを少なくとも指示するようになっている、請求項１０〜１３のいずれか１項に記載のポンプ。
【請求項１５】
請求項１〜１４のいずれか１項に記載のポンプと、前記ポンプ室に吸込行程を行わせるために時系列順序で圧送流体を前記ポンプ室に給送する給送手段と、前記管構造を横方向に圧平させ、それにより前記ポンプ室に吐出行程を行わせるために時系列順序で作動流体を前記作動領域に供給する手段とを備えている、ポンプ装置。
【請求項１６】
前記給送手段は給送ポンプから構成されている、請求項１５に記載のポンプ装置。
【請求項１７】
前記作動流体は、油圧オイル又は水のような任意の形態のものである、請求項１５又は１６に記載のポンプ装置。
【請求項１８】
前記作動流体は油圧オイルである、請求項１７に記載のポンプ装置。
【請求項１９】
前記供給手段は、油圧オイル用のタンクと液圧ポンプとを組み込んだ液圧回路を有している、請求項１８に記載のポンプ装置。
【請求項２０】
前記液圧回路はまた、時系列順序で前記作動領域内への油圧オイルの給送と前記作動領域からの油圧オイルの排送とを調節するための吸込及び出口側弁装置を有している、請求項１９に記載のポンプ装置。
【請求項２１】
前記作動流体は水である、請求項１７に記載のポンプ装置。
【請求項２２】
前記供給手段は、前記水を適切な圧力水頭で供給するために、高所位置にある水タンクから構成されている、請求項２１に記載のポンプ装置。
【請求項２３】
前記作動領域への前記作動流体の給送は、圧送流体が前記ポンプ室に入ったり、該ポンプ室から排送する際に通るポートに対して反対の端で行われている、請求項１５〜２２のいずれか１項に記載のポンプ装置。
【請求項２４】
前記作動領域からの前記作動流体の出口もまた、圧送流体が前記ポンプ室に入ったり、該ポンプ室から排送する際に通るポートに対して反対の端にある、請求項１５〜２３のいずれか１項に記載のポンプ装置。
【請求項２５】
請求項１〜１４に記載の２台のポンプを備えており、該２台のポンプは、一方のポンプのポンプ室が吸込行程を行っている間に他方のポンプのポンプ室が吐出行程を行い、逆の場合も同様に行うべく順次運転するようになっている、請求項１５〜２４のいずれか１項に記載のポンプ装置。
【請求項２６】
前記２台のポンプの順次運転は、ほぼ中断されることのない圧送流体の供給が前記ポンプ装置から吐き出されるようになっている、請求項２５に記載のポンプ装置。
【請求項２７】
前記吐出行程の持続期間は前記吸込行程の持続期間よりも長い、請求項２５又は２６に記載のポンプ装置。
【請求項２８】
一方のポンプがその吸込行程を完了しその吐出行程を開始すると同時に、他方のポンプがその吐出行程を完了しつつある、請求項２５、２６又は２７のいずれかに記載のポンプ装置。
【請求項２９】
一方のポンプの前記吐出行程は、他方のポンプからの吐出の量が前記ポンプ装置からの圧送流体の所望量に等しくなるようになるまでに完了されている、請求項２５〜２８のいずれか１項に記載のポンプ装置。
【請求項３０】
前記２台のポンプは、運転の順序を制御する適切な弁装置と共に、共通の給送手段及び共通の供給手段を有している、請求項２５〜２９のいずれか１項に記載のポンプ装置。
【請求項３１】
前記又は各ポンプは、前記管構造の閉じた一端がその他端に対して高所にあるように方向付けられている、請求項２５〜３０のいずれか１項に記載のポンプ装置。
【請求項３２】
前記作動領域への前記作動流体の吐出及び出口は前記閉じた一端の近くにある、請求項２５〜３１のいずれか１項に記載のポンプ装置。
【請求項３３】
作動流体を使用して圧送流体を搬送するためのポンプであって、内部スペースを画定する剛な外側ケーシングと、前記内部スペース内に収容される可撓性の管構造とを備え、該管構造の内部は圧送流体を受け入れるためのポンプ室を画成しており、該管構造は、前記ポンプ室の体積を変え、それにより吐出行程及び吸込行程を行うべく横方向に拡張された状態及び圧平された状態の間に可動であり、前記管構造の一端は閉じられていると共に他端はポートと連絡していて、圧送流体は、前記ポンプ室が吸込行程及び吐出行程を行うときに前記ポートを介して前記ポンプ室に流入したり、前記ポンプ室から排送したりすることが可能であり、前記管構造を囲む前記内部スペースの領域は、作動流体を受け入れるための作動領域を画成しており、前記ポンプ室は、前記管構造を前記拡張された状態に向かって移動させるべく圧送流体を受け入れるように構成され、それにより前記ポンプ室が吸込行程を行い、前記ポンプ室は、前記作動領域における作動流体の動作に呼応して前記管構造の圧平時に吐出行程を行うようになっている、ポンプ。
【請求項３４】
前記管構造は実質的に非弾性である、請求項３３に記載のポンプ。
【請求項３５】
作動流体が通って前記ポンプ室に入る前記ポートは、前記作動流体が前記ポンプに入るところとは反対の端にある、請求項３３又は３４に記載のポンプ。
【請求項３６】
作動領域内に収容されるポンプ室を各々が有している少なくとも２台のポンプと、
各ポンプ室に時系列順序で圧送流体を給送し、各ポンプ室に吸込行程を行わせる給送手段と、
前記ポンプ室の各管構造を横方向に圧平させ、前記ポンプ室に吐出行程を行わせるために時系列順序で作動流体を各作動領域に供給する手段とを備えており、
前記少なくとも２台のポンプの順次運転が前記ポンプ装置からほぼ中断されない圧送流体の供給を吐き出すようになっている、ポンプ装置。
【請求項３７】
各ポンプ室は可撓性且つ実質的に非弾性の管構造から構成されている、請求項３６に記載のポンプ装置。
【請求項３８】
前記ポンプ室は、閉じた一端とポートに接続された他端とを有しており、圧送流体は、前記ポンプ室が吸込行程及び吐出行程を行うときに前記ポートを介して前記ポンプ室に流入したり、前記ポンプ室から排送したりすることが可能となっている、請求項３６又は３７に記載のポンプ装置。
【請求項３９】
前記ポンプ室の前記閉じた一端はその他端に対して高所にある、請求項３８に記載のポンプ装置。
【請求項４０】
請求項３６〜３９のいずれか１項に記載のポンプ装置を運転するための方法であって、一方のポンプの前記吐出行程の持続期間は他方のポンプの前記吸込行程の持続期間よりも長く、逆の場合も同様であり、そのために順次運転されたときに、前記ポンプ装置はほぼ中断されない流体の供給を吐き出す、方法。
【請求項４１】
作動流体を使用して圧送流体を搬送するためのポンプであって、内部スペースを画定する剛な外側ケーシングと、前記内部スペース内に収容される管構造とを備え、前記管構造は、他端に対して高所位置にある閉じた一端を有しており、他端は、ポートに連絡していて、圧送流体が前記ポートを介して前記ポンプ室に流入したり、前記ポンプ室から排送したりすることが可能であり、該管構造の内部は、圧送流体を受け入れるためのポンプ室を画成しており、該管構造は、前記ポンプ室の体積を変え、それにより吐出行程及び吸込行程を行うべく横方向に拡張された状態及び圧平された状態の間に可動であり、前記管構造を囲む前記内部スペースの領域は、作動流体を受け入れるための作動領域を画成しており、前記ポンプ室は、前記管構造を前記拡張された状態に向かって移動させるべく圧送流体を受け入れるように構成され、それにより前記ポンプ室が吸込行程を行い、前記ポンプ室は、前記作動領域における作動流体の動作に呼応して前記管構造の圧平時に吐出行程を行うようになっている、ポンプ。
【請求項４２】
前記作動流体は、前記ポンプ室の前記閉じた一端の近くで前記作動領域に入るようになっている、請求項４１に記載のポンプ。
【請求項４３】
前記管構造は可撓性であると共に実質的に非弾性である、請求項４１又は４２に記載のポンプ。
【請求項４４】
図面に対してここに実質的に記載した通りのポンプ。
【請求項４５】
図面に対してここに実質的に記載した通りのポンプ装置。
【請求項４６】
図１８に関連してここに実質的に記載した通りのポンプ装置の使用方法。
【手続補正２】
【補正対象書類名】明細書
【補正対象項目名】０００９
【補正方法】変更
【補正の内容】
【０００９】
本発明の第１の形態によると、作動流体を使用して圧送流体を搬送するためのポンプであって、内部スペースを画定する剛な外側ケーシングと、前記内部スペース内に収容される管構造とを備え、該管構造は可撓性であると共に実質的に非弾性であり、該管構造の内部は圧送流体を受け入れるためのポンプ室を画成しており、該管構造は、前記ポンプ室の体積を変え、それにより吐出行程及び吸込行程を行うべく横方向に拡張された状態及び圧平された状態の間に可動であり、前記管構造は、その両端間で緊張した状態に維持され、前記管構造を囲む前記内部スペースの領域は、作動流体を受け入れて収容するための作動領域を画成しており、前記ポンプ室は、前記管構造を前記拡張された状態に向かって移動させるべく圧送流体を受け入れるように構成され、それにより前記ポンプ室が吸込行程を行い、前記ポンプ室は、前記作動領域における作動流体の動作に呼応して前記管構造の圧平時に吐出行程を行うようになっている。
【手続補正３】
【補正対象書類名】明細書
【補正対象項目名】００１１
【補正方法】削除
【補正の内容】
【手続補正４】
【補正対象書類名】明細書
【補正対象項目名】００３７
【補正方法】変更
【補正の内容】
【００３７】
本発明の第４の形態によると、作動領域内に収容されるポンプ室を各々が有している少なくとも２台のポンプと、
各ポンプ室に時系列順序で圧送流体を給送し、各ポンプ室に吸込行程を行わせる給送手段と、
前記ポンプ室の各管構造を横方向に圧平させ、前記ポンプ室に吐出行程を行わせるために時系列順序で作動流体を各作動領域に供給する手段とを備えており、
前記少なくとも２台のポンプの順次運転が前記ポンプ装置からほぼ中断されない圧送流体の供給を吐き出すようになっている。